(57)【特許請求の範囲】
【請求項１】
径方向に二分割構成の長尺配管カバー筒を設け、前記長尺配管カバー筒を、配管カバー取付対象部側に取付自在なベース部及びこれの両側縁部に形成されたベース巾方向に弾性変形可能な一対の側壁部を有する第一長尺配管カバー分割筒と、前記第一長尺配管カバー分割筒の両側壁部に外装可能な一対の側壁部を有する蓋用の第二長尺配管カバー分割筒とを備えて構成し、配管を前記長尺配管カバー筒の内空部に保持自在な保持部を、前記第一長尺配管カバー分割筒の長手方向での全長、又は、ほぼ全長にわたって設け、前記第一・第二長尺配管カバー分割筒どうしをその径方向に沿って相対近接させることで弾性係合可能であると共に、径方向に沿って相対離間させることで係合解除可能な係合部を、前記長尺配管カバー筒の長手方向での全長、又は、ほぼ全長にわたって設けてある配管カバーであって、
前記第一長尺配管カバー分割筒の両側壁部の基端部をベース部の巾方向中央側に屈曲形成して、この屈曲形状の基端部の内面とベース部との対向面間にベース部の巾方向中央側に向かって開口する溝部を形成するとともに、前記屈曲形状の基端部の外面側には、第二長尺配管カバー分割筒の両側壁部に形成された突条部が嵌入自在な凹状部を形成し、この突条部と凹状部とによって前記係合部を構成し、更に、前記係合部の弾性変形を局部的に抑制して前記第一・第二長尺配管カバー分割筒どうしの係合力の増大を図ることが可能な変形抑制手段を、前記第一長尺配管カバー分割筒の両溝部に対して脱着自在に嵌入可能で、かつ、その嵌入する両端部の厚みを前記溝部の溝巾寸法に等しい又は略等しい寸法に構成してある詰め部材から構成してある配管カバー。
【請求項２】
前記詰め部材と、前記第一長尺配管カバー分割筒のベース部とを貫通して前記配管カバー取付対象部に一体固定自在な固定具を設けてある請求項１記載の配管カバー。
【請求項３】
前記詰め部材は、無負荷状態では縦断面形状が山型で、前記第一長尺配管カバー分割筒のベース部に位置させた状態で、前記保持部内へ配置操作される配管との接当による押し付けに伴って、前記溝部に嵌入する変形抑制状態に弾性変形可能に構成されている請求項１又は２に記載の配管カバー。
【発明の詳細な説明】
【０００１】
【発明の属する技術分野】
本発明は、例えば、壁面や床面や天井面等の配管カバー取付対象部に沿って設置される給湯配管や、冷媒配管や、電気配管等の配管に対するカバーに関し、更に詳しくは、径方向に二分割構成の長尺配管カバー筒を設け、前記長尺配管カバー筒を、配管カバー取付対象部側に取付自在な第一長尺配管カバー分割筒と、前記第一長尺配管カバー分割筒の蓋となる第二長尺配管カバー分割筒とを備えて構成し、前記第一・第二長尺配管カバー分割筒どうしをその径方向に沿って相対近接させることで弾性係合可能であると共に、径方向に沿って相対離間させることで係合解除可能な係合部を、前記長尺配管カバー筒の長手方向での全長、又は、ほぼ全長にわたって設けてある配管カバーに関する。
【０００２】
【従来の技術】
従来、この種の配管カバーとしては、第一長尺配管カバー分割筒も、第二長尺配管カバー分割筒も、共に、押し出し成型法等の経済性の高い製作方法によって形成してあるのが一般的で、図９に示すように、両配管カバー分割筒２Ａ・２Ｂとも、長手方向での全長にわたって、同一の断面形状に形成してあり、前記係合部５は、前記第一長尺配管カバー分割筒２Ａの両側縁部に弾性変形自在に各別に形成してある一対の側壁部１５を設け、この側壁部１５の外周部に凹条部１５ａを形成し、前記第二長尺配管カバー分割筒２Ｂの内周部に、前記凹条部１５ａに係入自在な一対の突条部９を設けて構成してあるものがあった。
即ち、長尺配管カバー筒の全長にわたって同一断面形状に形成された前記係合部の結合力は、当然のことながら、長尺配管カバー筒の長手方向に沿ってほぼ同じ程度になるものであった。
【０００３】
【発明が解決しようとする課題】
上述した従来の配管カバーによれば、第一長尺配管カバー分割筒と、第二長尺配管カバー分割筒との結合力は、上述のとおり、全長にわたってほぼ同じ程度になる。その結果、例えば、両配管カバー分割筒どうしが不用意に外れ難くするために前記結合力を大きく設定すると、取り付けた後に第二長尺配管カバー分割筒を取り外したいような場合に、大きな結合解除力が必要となり、外し難いという問題点がある。だからといって、前記結合力を小さく設定すると、配管カバーに他物が当たる程度でも第二長尺配管カバー分割筒が外れ落ち易くなる危険性がある。
【０００４】
従って、本発明の目的は、上記問題点を解消し、両配管カバー分割筒どうしの係合解除操作を簡単に実施できながら、且つ、両配管カバー分割筒どうしが不用意に外れ難い配管カバーを提供するところにある。
【０００５】
【課題を解決するための手段】
〔構成〕
請求項１の発明の特徴構成は、径方向に二分割構成の長尺配管カバー筒を設け、前記長尺配管カバー筒を、配管カバー取付対象部側に取付自在なベース部及びこれの両側縁部に形成されたベース巾方向に弾性変形可能な一対の側壁部を有する第一長尺配管カバー分割筒と、前記第一長尺配管カバー分割筒の両側壁部に外装可能な一対の側壁部を有する蓋用の第二長尺配管カバー分割筒とを備えて構成し、配管を前記長尺配管カバー筒の内空部に保持自在な保持部を、前記第一長尺配管カバー分割筒の長手方向での全長、又は、ほぼ全長にわたって設け、前記第一・第二長尺配管カバー分割筒どうしをその径方向に沿って相対近接させることで弾性係合可能であると共に、径方向に沿って相対離間させることで係合解除可能な係合部を、前記長尺配管カバー筒の長手方向での全長、又は、ほぼ全長にわたって設けてある配管カバーにおいて、
前記第一長尺配管カバー分割筒の両側壁部の基端部をベース部の巾方向中央側に屈曲形成して、この屈曲形状の基端部の内面とベース部との対向面間にベース部の巾方向中央側に向かって開口する溝部を形成するとともに、前記屈曲形状の基端部の外面側には、第二長尺配管カバー分割筒の両側壁部に形成された突条部が嵌入自在な凹状部を形成し、この突条部と凹状部とによって前記係合部を構成し、更に、前記係合部の弾性変形を局部的に抑制して前記第一・第二長尺配管カバー分割筒どうしの係合力の増大を図ることが可能な変形抑制手段を、前記第一長尺配管カバー分割筒の両溝部に対して脱着自在に嵌入可能で、かつ、その嵌入する両端部の厚みを前記溝部の溝巾寸法に等しい又は略等しい寸法に構成してある詰め部材から構成してあるところにある。
【０００６】
請求項２の発明の特徴構成は、前記詰め部材と、前記第一長尺配管カバー分割筒のベース部とを貫通して前記配管カバー取付対象部に一体固定自在な固定具を設けてあるところにある。
【０００７】
請求項３の発明の特徴構成は、前記詰め部材は、無負荷状態では縦断面形状が山型で、前記第一長尺配管カバー分割筒のベース部に位置させた状態で、前記保持部内へ配置操作される配管との接当による押し付けに伴って、前記溝部に嵌入する変形抑制状態に弾性変形可能に構成されているところにある。
【００１０】
〔作用及び効果〕
請求項１の発明の特徴構成によれば、前記係合部の弾性変形を局部的に抑制して前記第一・第二長尺配管カバー分割筒どうしの係合力の増大を図ることが可能な変形抑制手段を、前記長尺配管カバー筒に対して着脱自在に設けてあるあるから、前記変形抑制手段を取り付けた前記長尺配管カバー筒部分について前記両分割筒どうしの係合力の増大を図ることが可能となり、強い係合力によって両分割筒どうしが不用意に外れることを防止し易くすることができる。従って、例えば、他物が当該配管カバーに当たったような場合であっても、前記変形抑制手段を取り付けた部分には両分割筒どうしの強い係合力が作用しているから、両者の係合状態を維持することが可能となる。
また、前記変形抑制手段は、長尺配管カバー筒に対して着脱自在であるから、例えば、前記長尺配管カバー筒の長手方向に間隔をあけて変形阻止手段を取り付けておくと言った構成をとることが可能となる。このように、前記長尺配管カバー筒の長手方向に間隔をあけて変形阻止手段を取り付ければ、その取り付け部分（強結合部という）と、前記変形阻止手段を取り付けていない部分（弱係合部という）とで結合力の強さに差がつく状態になり、全体とした結合力は維持しながら、人為的に両分割筒どうしを外す場合には、例えば、前記弱係合部を手で握って外し操作することにより、部分的な係合解除を簡単に図ることができ、その部分的な係合解除部を、全体的な係合解除へのきっかけ部として、更に、取り外し工具（例えば、ドライバー等）を差し入れたり、手で外し方向に力を加える等して両分割筒どうしを容易に外すことが可能となる。
即ち、不用意に他物が当接するような比較的単純な力の作用に対しては、両分割筒どうしを外れ難くすることができながら、人為的に両長尺配管カバー分割筒どうしを外す必要がある場合には、上述のように自然状態では発生し難い力のかけ方を実施してきっかけを作ることによって、簡単に外すことが可能となる。
従って、両長尺配管カバー分割筒どうしの着脱しやすさを確保しながら、且つ、設置状態においては、不用意に外力が作用しても外れ難くすることが可能となり、配管を保護するという配管カバー本来の機能性の向上と、取扱性の向上とを共に叶えることができるようになった。
更には、前記変形抑制手段は、長尺配管カバー筒とは別体に形成できるから、長尺配管カバー筒そのものは、従来の製法（例えば、押し出し成型法等の経済性の高い製造方法）によって形成することが可能となり、材料コストの増加を抑制しやすい。
また、変形抑制手段の取付間隔を大小さることによって、前記長尺配管カバー分割筒どうしの外れ難さを調整することが可能となり、例えば、長尺配管カバー筒において他物が当たりやすい部分には、前記変形抑制手段の設置間隔を小さく設定して取り付け、より外れ難くする等の設定を自由に行うことが可能となる。
【００１１】
また、前記変形抑制手段は、前記第一長尺配管カバー分割筒の底部に着脱自在に形成してあり、前記配管カバー取付対象部への前記第一長尺配管カバー分割筒の取付部を、前記第一長尺配管カバー分割筒の底部に設けてあるから、前記第一長尺配管カバー分割筒に取り付けた変形抑制手段が目立ち難く、美観性を損ね難くすることが可能となる。
更には、前記取付部を設けてある部分に前記変形抑制手段を取り付けることが可能となり、前記取付部によって前記配管カバー取付対象部に固定された第一長尺配管カバー分割筒部分に、前記強結合部を形成することができ、より確実な係合力確保を叶えることが可能となる。そして、前述のように、人為的に両分割筒どうしを外す場合には、強結合部が安定的に配管カバー取付対象部に固定されている方が、弱結合部を外す力を加えやすく、取り外し操作性を向上させることが可能となる。
【００１２】
請求項２の発明の特徴構成によれば、請求項１の発明による作用効果を叶えることができるのに加えて、前記変形抑制手段と、前記第一長尺配管カバー分割筒とを貫通して前記配管カバー取付対象部に一体固定自在な固定具を設けてあるから、前記第一長尺配管カバー分割筒を配管カバー取付対象部に取り付ける操作と、前記変形阻止手段を第一長尺配管カバー分割筒に取り付ける操作とを、前記固定具によって一度に実施することが可能となり、配管カバー取付作業の効率を向上させることができる。
【００１３】
請求項３の発明の特徴構成によれば、請求項１又は２の発明による作用効果を叶えることができるのに加えて、前記変形抑制手段は、前記第一長尺配管カバー分割筒の底部に位置させた状態で、前記保持部内へ前記配管を配置操作するに伴って、前記係合部の弾性変形を局部的に抑制する変形抑制状態に切り替わるように形成してあるから、第一長尺配管カバー分割筒の底部に変形抑制手段を位置させた状態で保持部内へ配管を配置させるだけの操作によって、その部分を変形抑制状態の強結合部にすることが可能となる。即ち、配管の配置操作と、前記変形阻止手段の動作状態への切替操作とを、単独の操作で一度に実施することが可能となり、配管カバー取付作業の効率を向上させることができる。
【００１４】
【発明の実施の形態】
以下に本発明の実施の形態を図面に基づいて説明する。尚、図面において従来例と同一の符号で表示した部分は、同一又は相当の部分を示している。
【００１５】
図１・２は、本発明の配管カバーの一例である給湯管カバー１が、壁（配管カバー取付対象部）Ｗに取り付けられている状況を示すもので、給湯管カバー１は、すべて、合成樹脂材料によって形成してあり、径方向に二分割構成の長尺配管カバー筒２を設け、前記長尺配管カバー筒２の端部と嵌合自在な径方向に二分割構成の継手カバー筒３を設けて構成してある。
両カバー筒２・３は、前記長尺配管カバー筒２の端部に、前記継手カバー筒３が外嵌する状態に設置されている。そして、これら一連の長尺配管カバー筒２・継手カバー筒３の内空部には給湯管（配管の一例）４が配置される。
【００１６】
長尺配管カバー筒２は、前記壁Ｗ側に配置する壁側分割筒（第一長尺配管カバー分割筒に相当）２Ａと、前記壁側分割筒２Ａの両側壁部１５に外装可能な一対の側壁部を有する蓋用の蓋分割筒（第二長尺配管カバー分割筒に相当）２Ｂとを備えて構成してある。
そして、前記壁側分割筒２Ａと蓋分割筒２Ｂどうしを、その径方向に沿って相対近接させることで弾性係合可能であると共に、径方向に沿って相対離間させることで係合解除可能な係合部５を、壁側分割筒２Ａ・蓋分割筒２Ｂの長手方向での全長、又は、ほぼ全長にわたって設けてある。
前記壁側分割筒２Ａは、図１に示すように、壁Ｗに沿わせて接当させるベース部６を設け、そのベース部６の両側縁部にその長手方向での全長、又は、ほぼ全長にわたって、ベース部巾方向にそれぞれ弾性変形自在に形成された一対の側壁部（保持部に相当）１５を設けて構成してあり、これら両側壁部１５間に、前記給湯管４を収納できるように形成してある。そして、前記両側壁部１５の基端部をベース部６の巾方向中央側に屈曲形状に形成することによって、その基端部の内面とベース部６との対向面間にベース部巾方向での中央側に開口する溝部８を設けてある。また、両側壁部１５の基端部外面部には、前記蓋分割筒２Ｂに形成されている突条部９が嵌入自在な凹条部１５ａを全長（又は、ほぼ全長）にわたって形成してある。
壁Ｗへの壁側分割筒２Ａの取り付けは、例えば、前記ベース部６表面側からビス止めしたり、裏面側に接着剤を塗布して取り付けることができる。因みに、前記ベース部６には、長手方向に間隔をあけて複数のビス穴（取付部に相当）１６を形成してあり、このビス穴１６にビス（固定具に相当）Ｂを挿通させて、壁側分割筒２Ａを壁Ｗにビス固定することができる。
一方、前記蓋分割筒２Ｂは、図に示すように、横断面形状が逆「Ｕ」字形状に形成してあり、両側壁部の内面には、その長手方向での全長、又は、ほぼ全長にわたって、前記凹条部１５ａに係入自在な突条部９を設けてある。
前記突条部９と凹条部１５ａとによって、前記係合部５が構成されている。
【００１７】
従って、図５に示すように、ベース部６に対して、長尺配管カバー筒２の径方向に沿って近接させながら、前記蓋分割筒２Ｂを被せるに伴い、前記突条部９が凹条部１５ａに係入（前記側壁部１５が径方向の内側に弾性変形すると共に、蓋分割筒２Ａは、径方向の外側に弾性変形し、突条部９が凹条部１５ａ提部を乗り越えることで係入）し、両者を係合させることができる。また、ベース部６に対して蓋分割筒２Ｂを、径方向に沿って引き離す方向に引っ張ることによって、凹条部１５ａに係入している突条部９が、凹条部１５ａ提部を外れ方向に乗り越えて係合解除することが可能となる。
このような、係合、係合解除に伴っては、前記側壁部１５の基端部に前記溝部８を形成してあることによって、図４・５に示すように、弾性変形による凹条部１５ａの揺動支点が前記溝部８の底部分に設定され、側壁部の内のより多く部分をフルに利用してスムースに弾性変形させることが可能となる。
【００１８】
また、前記溝部８に嵌入させることで、前記側壁部１５の弾性変形を局部的に抑制して前記壁側分割筒２Ａ・蓋分割筒２Ｂどうしの係合力の増大を図ることが可能な詰め部材（変形抑制手段の一例）Ｈを、前記壁側分割筒２Ａに対して着脱自在に設けてある。
前記詰め部材Ｈは、図６に示すように、合成樹脂によって形成してあり、無負荷の状態においては、縦断面形状が山型になるように成形した帯型部材である。また、詰め部材Ｈの両端部は、前記溝部８の溝巾寸法に等しい（又は、ほぼ等しい）厚み寸法に形成してあると共に、山型の頂部分には、前記壁側分割筒２Ａに形成してあるのと同様のビス穴１６を形成してある。
従って、図６に示すように、前記保持部を構成する両側壁部１５間内へ配置操作される給湯管４との接当によって前記山型の頂部分を壁側分割筒２Ａ側に押し付けるに伴い、弾性変形をして前記詰め部材Ｈの両端部は外方に広がりながら前記溝部８に嵌入する。そして、前記溝部８と嵌合することによって、その部分における前記両側壁部１５の内側への弾性変形をし難くし、壁側分割筒２Ａ・蓋分割筒２Ｂどうしの係合力の増大を図り、蓋分割筒２Ｂが、不用意に外れるのを防止することが可能となる。但し、人為的に、前記蓋分割筒２Ｂを取り外す際には、図８に示すように、前記詰め部材Ｈが取り付けてない部分に対応する蓋分割筒部分を引っ張ることによって、前記係合部５の係合解除のきっかけが生まれ、容易に外すことができる。即ち、前記蓋分割筒２Ｂは、不用意には外れ難いが、外し操作する場所を選択することによって、大きな力を使わずにスムースに取り外すことが可能となる。
また、当該詰め部材Ｈを、前記壁分割筒２Ｂのビス穴１６を設けた部分の上に重ねてセットし、両ビス穴１６にビスＢを挿入して螺進させることによって、壁分割筒２Ｂ・詰め部材Ｈを壁に取り付ける操作と、前記詰め部材Ｈを前記溝部８内に嵌入させて両分割筒どうしの係合力を強化する操作とを、一度に実施することが可能となり、配管カバー取付作業の効率を向上させることが可能となる。
前記壁側分割筒２Ａの長手方向において、詰め部材Ｈを取り付けてある区間を、強係合部Ｋ１といい、詰め部材Ｈを取り付けてない区間を、弱係合部Ｋ２という。
【００１９】
前記継手カバー筒３は、前記壁Ｗ側に配置する壁側継手分割筒３Ａと、前記壁側継手分割筒３Ａの蓋となる蓋継手分割筒３Ｂとを備えて構成してある。
前記壁側継手分割筒３Ａは、図１・２・３に示すように、壁Ｗに沿わせて接当させる継手ベース部１１を設け、その継手ベース部１１の両側縁部に、前記蓋継手分割筒３Ｂを係止自在な係止爪１１ａを設けて構成してある。壁Ｗへの壁側継手分割筒３Ａの取り付けは、例えば、前記継手ベース部１１表面側からビス止めしたり、裏面側に接着剤を塗布して取り付けることができる。
また、継手ベース部１１の端部には、前記壁Ｗとの間に前記壁側分割筒２Ａの端部を挟持することで係止する突出部１１ｂを設けてある。この突出部１１ｂと、壁Ｗとの間の隙間に、前記壁側分割筒２Ａのベース部６端部を挿入することによって、前記壁側分割筒２Ａを壁Ｗに取り付ける際に、仮止めすることができる（図１・３参照）。
一方、前記蓋継手分割筒３Ｂは、図に示すように、横断面形状が逆「Ｕ」字形状に形成してあり、内周縁部には、前記係止爪１１ａと係合自在な係止受け部１２を設けてある。
前記係止爪１１ａと係止受け部１２とによって、係合連結部１３が構成されている。
【００２０】
次に、壁Ｗへの給湯管４の取付手順について説明する。
［１］  壁Ｗの所定の箇所に、壁側継手分割筒３Ａを取り付け、その壁側継手分割筒３Ａの突出部１１ｂに、壁側分割筒２Ａの一端部を係止させながら、他端部を、所定の位置に配置する。
［２］  前記壁側分割筒２Ａの他端部に、別の壁側継手分割筒３Ａの突出部１１ｂが被さって固定できるように、別の壁側継手分割筒３Ａを壁Ｗに固定する。必要に応じて、一連の配管系の他の範囲にも壁側分割部材を取り付ける。
［３］  壁側分割筒２Ａの所定のビス穴１６上に重なる状態に詰め部材Ｈを配置し、詰め部材Ｈのビス穴１６と壁側分割筒２Ａのビス穴１６とにビスＢを挿通して壁に取り付けた後、壁側分割筒２Ａの両側壁部１５間に給湯管４を配置する。
［４］  壁側分割筒２Ａに対して、蓋分割筒２Ｂを取り付けると共に、壁側継手分割筒３Ａに対して、蓋継手分割筒３Ｂを取り付ける。
【００２１】
〔別実施形態〕
以下に他の実施の形態を説明する。
【００２２】
〈１〉  前記配管は、先の実施形態で説明した給湯管に限るものではなく、如何なる配管であってもよく、例えば、冷媒管や電線管、更には、電線そのものであってもよい。それらを総称して配管という。
〈２〉  前記配管カバー取付対象部は、先の実施形態で説明した壁に限るものではなく、例えば、床や、天井、柱、梁等であってもよい。
〈３〉  また、長尺配管カバー筒の分割は、先の実施形態で説明したように、壁面に沿った分割面で分割してあるものに限るものではなく、例えば、壁面に交わる分割面で分割してあるものであってもよい。
〈４〉  前記係合部は、先の実施形態で説明した係合形式に限るものではなく、広く公知の係合形式を採用することが可能で、要するに、第一・第二長尺配管カバー分割筒どうしをその径方向に沿って相対近接させることで弾性係合可能であると共に、径方向に沿って相対離間させることで係合解除可能なものであればよく、それらを総称して係合部という。
〈５〉  前記変形抑制手段は、先の実施形態で説明したように固定具Ｂによって取付操作するに伴って係合部を変形阻止状態とするものに限るものではなく、例えば、図６に示すように、第一長尺配管カバー分割筒２Ａの底部に位置させた状態で、前記保持部１５内へ前記配管４を配置操作するに伴って、前記係合部５の弾性変形を局部的に抑制する変形抑制状態に切り替わるように形成してあるものであってもよく、この実施形態の場合は、配管配置操作と、係合部の変形阻止状態切換操作とが一つの動作で一度に実施でき、配管取付作業効率の向上を図ることが可能となる効果がある。
〈６〉  また、変形阻止手段は、第一長尺配管カバー分割筒２Ａの底部に位置させる詰め部材に限るものではなく、例えば、図７に示すように、第一長尺配管カバー分割筒２Ａの両側壁部１５の先端部間に取り付けて、両側壁部どうし間で突っ張ることによって、前記係合部５の弾性変形を局部的に抑制して前記第一・第二長尺配管カバー分割筒２Ａ・２Ｂどうしの係合力の増大を図るように構成した突っ張り部材２０であってもよい。この実施形態によれば、両側壁部１５間に配置した配管４の抜け出しを、前記突っ張り部材２０によって防止することが可能となり、より安定した状態に配管を設置することが可能となる。
【図面の簡単な説明】
【図１】配管カバーの取付状況を示す分解斜視図
【図２】配管カバーの取付状況を示す斜視図
【図３】配管カバーの取付手順を説明する一部切欠き縦断面図
【図４】配管カバーの取付手順を説明する横断面図
【図５】配管カバーの取付手順を説明する横断面図
【図６】別実施形態の配管カバーの取付状況を説明する横断面図
【図７】別実施形態の配管カバーの取付状況を説明する横断面図
【図８】配管カバーの取り外し操作を説明する上面図
【図９】従来例の配管カバーを示す斜視図
【符号の説明】
２    長尺配管カバー筒
２Ａ  第一長尺配管カバー分割筒
２Ｂ  第二長尺配管カバー分割筒
４    配管
５    係合部
１５  保持部
１６  取付部
Ｂ    固定具
Ｈ    変形抑制手段
Ｗ    配管カバー取付対象部
【図１】
0004023638.tif 000002
【図２】
0004023638.tif 000003
【図３】
0004023638.tif 000004
【図４】
0004023638.tif 000005
【図５】
0004023638.tif 000006
【図６】
0004023638.tif 000007
【図７】
0004023638.tif 000008
【図８】
0004023638.tif 000009
【図９】
0004023638.tif 000010